(57)【要約】【課題】少ない数の押しスイッチを用いるだけで、ボタントップが傾くように操作されたときでも押しスイッチに対する入力を確実に達成でき、かつコストを低減することができるエレベータ用押しボタン装置を提供する。【解決手段】ボタントップ３と対向して基板１０の上に３つの押しスイッチ１１ａ，１１ｂ，１１ｃを設け、そのうちの１つの押しスイッチ１１ｂは、ボタントップ３の長手方向の中間部に対応する位置にほぼ垂直に設け、他の１つの押しスイッチ１１ａは、ボタントップ３の長手方向の一端側の端部に対応する位置にボタントップ３の長手方向の一端側外方に向って傾斜するように設け、残りの１つの押しスイッチ１１ｃは、ボタントップ３の長手方向の他端側の端部に対応する位置にボタントップ３の長手方向の他端側外方に向って傾斜するように設ける。【選択図】    図２
2006264860.tif 000002
【特許請求の範囲】
【請求項１】
押し込み式のボタントップと、このボタントップの裏面側に該ボタントップと対向して設けられた基板と、この基板の上に、前記ボタントップの長手方向に沿って配設された３つの押しスイッチとを具備し、
前記３つの押しスイッチのうちの１つの押しスイッチは、前記ボタントップの長手方向の中間部に対応する位置に、前記基板に対してほぼ垂直に設けられ、他の１つの押しスイッチは、前記ボタントップの長手方向の一端側の端部に対応する位置に、前記基板に対して、前記ボタントップの長手方向の一端側外方に向って傾斜する状態に設けられ、残りの１つの押しスイッチは、前記ボタントップの長手方向の他端側の端部に対応する位置に、前記基板に対して、前記ボタントップの長手方向の他端側外方に向って傾斜する状態に設けられていることを特徴とするエレベータ用押しボタン装置。
【請求項２】
押し込み式のボタントップと、このボタントップの裏面側に該ボタントップと対向して設けられた基板と、この基板の上に、前記ボタントップの長手方向の中間部に対応する位置に設けられた、３つの操作子を有する押しスイッチとを具備し、
前記押しスイッチにおける１つの操作子は前記基板に対してほぼ垂直に向き、他の１つの操作子は、前記基板に対して、前記ボタントップの長手方向の一端側に向って傾斜し、残りの１つの操作子は、前記基板に対して、前記ボタントップの長手方向の他端側に向って傾斜していることを特徴とするエレベータ用押しボタン装置。
【請求項３】
押し込み式のボタントップと、このボタントップの裏面側に該ボタントップと対向して設けられた基板と、この基板の上に、前記ボタントップの長手方向の両端部に対応する位置に設けられた２つの押しスイッチとを具備し、
前記ボタントップの長手方向の両端部には、前記押しスイッチに向かって半球状に突出してその押しスイッチと対向する突部が設けられていることを特徴とするエレベータ用押しボタン装置。
【請求項４】
前記基板の上には、前記押しスイッチの投入に応じて発光する発光素子が設けられていることを特徴とする請求項１、２または３に記載のエレベータ用押しボタン装置。
【発明の詳細な説明】
【技術分野】
【０００１】
この発明は、エレベータのかご内の操作盤やエレベータホールの操作盤に設けられ、エレベータの利用者が操作して所定の情報を伝達するために使用されるエレベータ用押しボタン装置に関する。
【背景技術】
【０００２】
近年、エレベータには、バリアフリーの観点から押しやすく見やすい大型の押しボタン装置が採用されるようになってきている。この大型の押しボタン装置においては、ボタントップの表面に階床数字だけでなく、『１階 ロビー』などといった多くの説明文字が明示され、したがってそのボタントップの表面面積が相当大きくなっている。
【０００３】
このような大型の押しボタン装置の全体の構造を図５に示してある。図５に示す１は、かご内やエレベータホールの操作盤に取り付けられるフェイスプレートで、このフェイスプレート１に開口２が形成され、この開口２内に例えば横長で面積の大きいボタントップ３が装着されている。
【０００４】
ボタントップ３は、フェイスプレート１の内側と外側に渡るように開口２内に遊合され、フェイスプレート１の内側に臨んだ基部の外周縁部には抜止め用のフランジ５が一体に突出形成されている。
【０００５】
そしてこのボタントップ３は、その表面側の一定の高さ分がフェイスプレート１の表面側に突出するように、ばねなどの弾性体からなる付勢部材（図示せず）により弾性的に付勢されている。
【０００６】
フェイスプレート１の裏面には、ボタントップ３の基部を囲むようにボタンケース８が取り付けられている。ボタントップ３は基部の裏面にプレート状の押圧体９を一体的に備えている。ボタントップ３および押圧体９は、透光性を有する例えば合成樹脂で形成されている。
【０００７】
ボタンケース８には、ボタントップ３の押圧体９と対向するように基板１０が取り付けられている。基板１０の表面には複数の縦長の押しスイッチ１１と、これら押しスイッチ１１の投入に応じて発光する発光素子としての複数のＬＥＤ１４とが取り付けられている。
【０００８】
各押しスイッチ１１は操作子１２を有し、これら操作子１２が押圧されることにより通電用の接点が閉合される。これら押しスイッチ１１は、基板１０に対してほぼ垂直に起立して、ボタントップ３の長手方向沿いに一定の間隔をあけて並ぶように均等的に配設されている。
【０００９】
このような構成において、エレベータの利用者がフェイスプレート１の表面側からボタントップ３を指先で押し込むと、このボタントップ３の変位で押しスイッチ１１が押圧され、接点が閉合してその信号がエレベータ制御部に送られるとともに、ＬＥＤ１４が点灯して発光し、ボタントップ３が明るく照光される。
【発明の開示】
【発明が解決しようとする課題】
【００１０】
ボタントップ３が基板１０と平行を保ったまま押し込まれたときには、その動作で押しスイッチ１１の操作子１２がその軸方向に的確に押圧され、接点が確実に閉合する。
【００１１】
ところがこの大型のボタントップ３においては、その一端側の端部が押し込まれてボタントップ３が傾くことがある。この場合、押しスイッチ１１が１つのみであると、ボタントップ３が押しスイッチ１１と接触しない状態が生じる恐れがあり、このため従来においては、基板１０の表面にボタントップ３の長手方向に沿って数多くの押しスイッチ１１を均等的に設け、その傾きに対応するようにしている。
【００１２】
すなわち、ボタントップ３がその一端側が下方に向くように傾いて押し込まれたときには、そのボタントップ３の一端側の端部に対応する位置に設けられた押しスイッチ１１の操作子１２がそのボタントップ３により押されるように構成されている。
【００１３】
しかしながら、従来の装置においては、各押しスイッチ１１の全てが基板１０に対してそれぞれ垂直に起立するように設けられており、このため例えばボタントップ３がその一端側が下方に向くように傾いて押し込まれ、その一端側の端部が押しスイッチ１１の操作子１２に接触したときに、その操作子１２に対する押圧の作用方向が傾いてしまう。
【００１４】
操作子１２は押しスイッチ１１の軸方向に押圧すべきものであり、ボタントップ３により押圧される作用方向が傾くと、的確で円滑な動作が阻害され、接点の閉合が達成されなくなるような不都合が生じる恐れがある。
【００１５】
また、従来では、ボタントップ３の傾きに対応するために、基板１０に押しスイッチ１１を数多く配設しており、このためコストが嵩み、高価な押しボタン装置となってしまう難点がある。
【００１６】
この発明はこのような点に着目してなされたもので、その目的とするところは、少ない数の押しスイッチを用いるだけで、ボタントップが傾くように操作されたときでも押しスイッチに対する入力を確実に達成でき、かつコストを低減することができるエレベータ用押しボタン装置を提供することにある。
【課題を解決するための手段】
【００１７】
請求項１の発明は、押し込み式のボタントップと、このボタントップの裏面側に該ボタントップと対向して設けられた基板と、この基板の上に、前記ボタントップの長手方向に沿って配設された３つの押しスイッチとを具備し、前記３つの押しスイッチのうちの１つの押しスイッチは、前記ボタントップの長手方向の中間部に対応する位置に、前記基板に対してほぼ垂直に設けられ、他の１つの押しスイッチは、前記ボタントップの長手方向の一端側の端部に対応する位置に、前記基板に対して、前記ボタントップの長手方向の一端側外方に向って傾斜する状態に設けられ、残りの１つの押しスイッチは、前記ボタントップの長手方向の他端側の端部に対応する位置に、前記基板に対して、前記ボタントップの長手方向の他端側外方に向って傾斜する状態に設けられていることを特徴としている。
【００１８】
請求項２の発明は、押し込み式のボタントップと、このボタントップの裏面側に該ボタントップと対向して設けられた基板と、この基板の上に、前記ボタントップの長手方向の中間部に対応する位置に設けられた、３つの操作子を有する押しスイッチとを具備し、前記押しスイッチにおける１つの操作子は前記基板に対してほぼ垂直に向き、他の１つの操作子は、前記基板に対して、前記ボタントップの長手方向の一端側に向って傾斜し、残りの１つの操作子は、前記基板に対して、前記ボタントップの長手方向の他端側に向って傾斜していることを特徴としている。
【００１９】
請求項３の発明は、押し込み式のボタントップと、このボタントップの裏面側に該ボタントップと対向して設けられた基板と、この基板の上に、前記ボタントップの長手方向の両端部に対応する位置に設けられた２つの押しスイッチとを具備し、前記ボタントップの長手方向の両端部には、前記押しスイッチに向かって半球状に突出してその押しスイッチと対向する突部が設けられていることを特徴としている。
【００２０】
請求項４の発明は、前記基板の上に、前記押しスイッチの投入に応じて発光する発光素子が設けられていることを特徴としている。
【発明の効果】
【００２１】
この発明によれば、少ない数の押しスイッチを用いるだけで、ボタントップが傾くように操作されたときでも押しスイッチに対する入力を確実に達成でき、かつコストを低減することができるエレベータ用押しボタン装置を提供することができる。
【発明を実施するための最良の形態】
【００２２】
以下、この発明の実施の形態について図１ないし図４を参照して説明する。なお、従来の構成と対応する部分には同一符号を付して重複する説明を省略する。
【００２３】
図１および図２にはこの発明の第１の実施形態を示してある。図１は押しボタン装置をフェイスプレート１の表面側から見た正面図で、図２にはその押しボタン装置の断面図である。
【００２４】
この押しボタン装置においては、図２に示すように、ボタントップ３と対向してボタンケース８に取り付けられた基板１０の表面に、ボタントップ３の長手方向に沿うように３つの押しスイッチ１１ａ，１１ｂ，１１ｃが取り付けられている。各押しスイッチ１１ａ，１１ｂ，１２ｃはそれぞれその軸方向に移動する操作子１２ａ，１２ｂ，１２ｃを備えている。
【００２５】
１つの押しスイッチ１１ｂはボタントップ３の長手方向の中間部に対応する位置に、残りの２つの押しスイッチ１１ａ，１１ｃはボタントップ３の長手方向の両端部に対応する位置にそれぞれ配設されている。ボタントップ３の表面には、図１に示すように、『１階 ロビー』などのような階床と併せてその階床についての説明の文字が明示されている。
【００２６】
両端部に配設された押しスイッチ１１ａ，１１ｃは、中間部に配設された押しスイッチ１１ｂよりもその高さ寸法が小さく、各押しスイッチ１１ａ，１１ｂ，１１ｃの上端部が１つの同心円の円弧Ｓの上に並ぶように配置され、かつ両端部の押しスイッチ１１ａ，１１ｂがその円弧Ｓの法線に沿うように基板１０に対して傾斜している。
【００２７】
すなわち、ボタントップ３の一端側の端部に対応する位置に設けられた押しスイッチ１１ａは、そのボタントップ３の一端側の外方に向くように傾斜し、ボタントップ３の他端側の端部に対応する位置に設けられた押しスイッチ１１ｃは、そのボタントップ３の他端側の外方に向くように傾斜している。
【００２８】
このような構成においては、ボタントップ３の表面の中央部がエレベータの利用者により操作され、ボタントップ３が基板１０とほぼ平行を保ったまま押し込まれたときには、そのボタントップ３の押圧体９が中間部の押しスイッチ１１ｂの操作子１２ｂに当り、この操作子１２ｂが押圧されて押しスイッチ１１ｂの接点が閉じ、その信号がエレベータの制御部に出力され、かつ各ＬＥＤ１４が点灯し発光する。
【００２９】
また、ボタントップ３の一端側の端部が押され、このボタントップ３が図２における左斜め下方に傾斜したときには、その傾斜に基づいてボタントップ３の一端側に配置された押しスイッチ１１ａの操作子１２ａにボタントップ３の一端側の端部が当って押圧される。
【００３０】
この際、ボタントップ３は傾斜しているが、前記押しスイッチ１１ａは基板１０に対してボタントップ３の一端側の外方に向くように傾斜しており、このためボタントップ３の傾斜方向と押しスイッチ１１ａの軸方向とがほぼ直角に近い状態となり、このためボタントップ３から押しスイッチ１１ａの操作子１２ａに加わる押圧力の作用方向がその押しスイッチ１１ａの軸方向にほぼ沿う方向となり、したがってその押圧力で操作子１２ａが的確かつ円滑に動作し、押しスイッチ１１ａの接点が確実に閉じてその信号が出力され、かつ各ＬＥＤ１４が点灯して発光する。
【００３１】
逆に、ボタントップ３の他端側の端部が押され、このボタントップ３が図２における右斜め下方に傾斜したときには、その傾斜に基づいてボタントップ３の他端側に配置された押しスイッチ１１ｃの操作子１２ｃにボタントップ３の他端側の端部が当って押圧される。
【００３２】
この際にも、ボタントップ３は傾斜しているが、前記押しスイッチ１１ｃは基板１０に対してボタントップ３の他端側の外方に向くように傾斜しており、このためボタントップ３の傾斜方向と押しスイッチ１１ｃの軸方向とがほぼ直角に近い状態となり、このためボタントップ３から押しスイッチ１１ｃの操作子１２ｃに加わる押圧力の作用方向がその押しスイッチ１１ｃの軸方向にほぼ沿う方向となり、したがってその押圧力で操作子１２ｃが的確かつ円滑に動作し、押しスイッチ１１ｃの接点が確実に閉じてその信号が出力され、かつ各ＬＥＤ１４が点灯して発光する。
【００３３】
このように、基板１０には数少ない３つの押しスイッチ１１ａ，１１ｂ，１１ｃが配設されているだけであるが、ボタントップ３がいずれの状態で押されたときでも、いずれかの押しスイッチ１１ａ，１１ｂ，１１ｃの操作子１２ａ，１２ｂ，１２ｃが的確かつ円滑に動作して接点が確実に閉じられ、所定の信号がエレベータ制御部に送られる。  
また、この押しボタン装置は、数少ない押しスイッチ１１ａ，１１ｂ，１１ｃを用いるだけであるから、コストを軽減し、安価な押しボタン装置とすることができる。
【００３４】
図３にはこの発明の第２の実施形態を示してあり、この実施形態においては、基板１０の表面の中央部にボタントップ３の中間部と対向するように１つの平型の押しスイッチ１１が取り付けられている。
【００３５】
この平型の押しスイッチ１１は３つの操作子１２ａ，１２ｂ，１２ｃを有しており、そのうちの１つの操作子１２ｂはほぼ垂直に起立し、他の１つの操作子１２ａは左斜め上方に傾斜し、残りの１つの操作子１２ｃは右斜め上方に傾斜するように押しスイッチ１１に設けられている。
【００３６】
各操作子１２ａ，１２ｂ，１３ｃの上端はそれぞれ半球状もしくは半円状をなしている。そして、各操作子１２ａ，１２ｂ，１２ｃの上端はボタントップ３の長手方向に沿って並び、かつ中間に配置する操作子１２ｂの上端の位置が最も高く、その両側に配置する操作子１２ａ，１２ｃの上端がそれよりも低い位置にあり、各操作子１２ａ，１２ｂ，１２ｃの上端が１つの同心円の円弧Ｓ上に並ぶように配置されている。  
なお、前記各操作子１２ａ，１２ｂ，１２ｃは、それぞれ例えば透明な樹脂材料で形成されている。
【００３７】
このような構成においては、ボタントップ３の表面の中央部がエレベータの利用者により操作され、ボタントップ３が基板１０とほぼ平行を保ったまま押し込まれたときには、そのボタントップ３が垂直に配置された操作子１２ｂに当り、この操作子１２ｂを介して押しスイッチ１１が操作されてその接点が閉じ、その信号が出力され、かつ各ＬＥＤ１４が点灯して発光する。
【００３８】
ボタントップ３の一端側の端部が押され、このボタントップ３が図３における左斜め下方に傾斜したときには、ボタントップ３の一端側の端部が左斜め上方に傾斜した操作子１２ａに当り、この操作子１２ａを介して押しスイッチ１１が操作されてその接点が閉じ、その信号が出力され、かつ各ＬＥＤ１４が点灯する。
【００３９】
この場合にも、ボタントップ３の傾斜方向と操作子１２ａの軸方向とがほぼ直角に近い状態となり、このためボタントップ３から操作子１２ａに加わる押圧力の作用方向がその軸方向にほぼ沿う方向となり、したがってその押圧力で操作子１２ａが的確かつ円滑に動作し、押しスイッチ１１の接点が確実に閉じられる。
【００４０】
ボタントップ３の他端側の端部が押され、このボタントップ３が図３における右斜め下方に傾斜したときには、ボタントップ３の他端側の端部が右斜め上方に傾斜した操作子１２ｃに当り、この操作子１２ｃを介して押しスイッチ１１が操作されてその接点が閉じ、その信号が出力され、かつ各ＬＥＤ１４が点灯する。
【００４１】
この場合にも、ボタントップ３の傾斜方向と操作子１２ｃの軸方向とがほぼ直角に近い状態となり、このためボタントップ３から操作子１２ｃに加わる押圧力の作用方向がその軸方向にほぼ沿う方向となり、したがってその押圧力で操作子１２ｃが的確かつ円滑に動作し、押しスイッチ１１の接点が確実に閉じられる。
【００４２】
そして、この押しボタン装置の場合には、基板１０に１つの平型の押しスイッチ１１が配設されているだけであり、このためコストをより軽減し、より安価な押しボタン装置とすることができる。
【００４３】
さらに基板１０の表面に１つの押しスイッチ１１を設けるだけでよいから、その周辺に広いスペースを確保することができ、そのスペースに必要に応じた数のＬＥＤ１４を配設することができ、したがってこの実施形態ではＬＥＤ１４の輝度値を上げたい場合に特に有効となる。
【００４４】
図４にはこの発明の第３の実施形態を示してあり、この実施形態においては、基板１０の表面に２つの押しスイッチ１１ａ，１１ｂが取り付けられている。２つの押しスイッチ１１ａ，１１ｂは、ボタントップ３の長手方向の一方側の端部と他方側の端部とに対応する位置に配設されている。そしてボタントップ３の押圧体９には、各押しスイッチ１１ａ，１１ｂの操作子１２ａ，１２ｂに対向するように半球状に突出する突部９ａ，９ｂが一体に突出形成されている。
【００４５】
このような構成においては、ボタントップ３の表面の中央部がエレベータの利用者により操作され、ボタントップ３が基板１０とほぼ平行を保ったまま押し込まれたときには、そのボタントップ３の押圧体９における各突部９ａ，９ｂが各押しスイッチ１１ａ，１１ｂに当り、これら押しスイッチ１１ａ，１１ｂの接点が閉じてその信号が出力され、かつ各ＬＥＤ１４が点灯して発光する。
【００４６】
ボタントップ３の一端側の端部が押され、このボタントップ３が図４における左斜め下方に傾斜したときには、そのボタントップ３の一端側に配置された押しスイッチ１１ａの操作子１２ａに押圧体９の一端側の突部９ａが当り、この突部９ａで操作子１２ａが押圧される。
【００４７】
この際、ボタントップ３は左斜め下方に傾斜するのに対し、押しスイッチ１１ａは垂直に起立する状態にあるが、押しスイッチ１１ａの操作子１２ａには半球状の突部９ａを介して押圧力が加わり、このためボタントップ３の傾斜に拘らず、操作子１２ａは押しスイッチ１１ａの軸方向に押圧され、したがって操作子１２ａが的確かつ円滑に動作し、押しスイッチ１１の接点が確実に閉じられる。
【００４８】
逆に、ボタントップ３の他端側の端部が押され、このボタントップ３が図４における右斜め下方に傾斜したときには、そのボタントップ３の他端側に配置された押しスイッチ１１ｂの操作子１２ｂに押圧体９の他端側の突部９ｂが当り、この突部９ｂで操作子１２ａが押圧される。
【００４９】
この際にも、ボタントップ３は右斜め下方に傾斜するのに対し、押しスイッチ１１ｂは垂直に起立する状態にあるが、押しスイッチ１１ｂの操作子１２ｂには半球状の突部９ｂを介して押圧力が加わり、このためボタントップ３の傾斜に拘らず、操作子１２ｂは押しスイッチ１１ｂの軸方向に押圧され、したがって操作子１２ｂが的確かつ円滑に動作し、押しスイッチ１１の接点が確実に閉じられる。
【００５０】
また、この押しボタン装置においても、基板１０には２つの押しスイッチ１１ａ，１１ｂが配設されているだけであるから、コストを軽減し、安価な押しボタン装置とすることができる。
【００５１】
そして、この実施形態の場合には、ボタントップ３の両端側に対応する位置にのみ押しスイッチ１１ａ，１１ｂを設ければよいから、ボタントップ３の中間およびその周辺に対応する広い位置にＬＥＤ１４を均等的に配置させることができ、したがって大型のボタントップ３であってもその全体を均一に見栄えよく照光でき、特に全面照光型のボタン装置に有効となる。
【図面の簡単な説明】
【００５２】
【図１】この発明の第１の実施形態に係る押しボタン装置を示す正面図。
【図２】その押しボタン装置の断面図。
【図３】この発明の第２の実施形態に係る押しボタン装置を示す断面図。
【図４】この発明の第３の実施形態に係る押しボタン装置を示す断面図。
【図５】従来の押しボタン装置を示す断面図。
【符号の説明】
【００５３】
１…フェイスプレート
３…ボタントップ
８…ボタンケース
９…押圧体
９ａ．９ｂ…突部
１０…基板
１１．１１ａ．１１ｂ．１１ｃ…押しスイッチ
１２．１２ａ．１２ｂ．１２ｃ…操作子
１４…ＬＥＤ
【図１】
2006264860.tif 000003
【図２】
2006264860.tif 000004
【図３】
2006264860.tif 000005
【図４】
2006264860.tif 000006
【図５】
2006264860.tif 000007